(57)【特許請求の範囲】
【請求項１】
樋を装着可能であって、樋の耳部を係止する樋耳掛止部を設けた樋受金具本体と、前方には上記樋受金具本体に固着する支持片部を備え、基端には壁面等に取付可能な取付部を設けた取付具と、から成る樋受金具において、
上記取付具の支持片部は、樋受金具本体の湾曲に合わせて湾曲形成されると共に下方に突出する複数の連続する略波状の凸部を備え、樋受具本体の下側に重合すると共に樋受金具本体の外側の略全体を隠蔽した形状とし、かつ、樋受金具本体と支持片部とは２箇所以上を固着してなることを特徴とする樋受金具。
【発明の詳細な説明】
【０００１】
【発明の属する技術分野】
本発明は樋受金具、詳しくは、樋の耳部を係止する樋耳掛止部を設けた樋受金具本体と、前方には上記樋受金具本体に固着する支持片部を備え、基端には壁面等に取付可能な取付部を設けた取付具と、から成る樋受金具に関する。
【０００２】
【従来の技術】
図５は、従来の樋受金具を示す使用状態図である。
【０００３】
この樋受金具１００は、樋Ｔを装着可能であって、樋Ｔの耳部Ｔ１を係止する樋耳掛止部１１１を設けた樋受金具本体１０１と、前方には樋受金具本体１０１に固着する支持片部１１２を備え、基端には壁面等に取付可能な取付部１２２を設けた取付具１０２と、から構成している。
【０００４】
また、樋受金具本体１０１と取付具１０２とは、樋受金具本体１０１の湾曲に合わせて取付具１０２の支持片部１１２を湾曲形成し、この樋受金具本体１０１の下側に支持片部１１２を重合すると共に、両者をスポット溶接又はリベット止め等によって、その２箇所を固定している。
【０００５】
このように構成した樋受金具１００は、取付具１０２の取付部１２２を壁面等に取付け、その前方の支持片部１１２で支持する樋受金具本体１０１に樋Ｔを載置し、樋Ｔの前、後端に形成された耳部Ｔ１、Ｔ１を、樋受金具本体１０１の樋耳掛止部１１１、１１１で各々を掛止し、樋Ｔを取付けるものであった。
【０００６】
【発明が解決しようとする課題】
しかし、樋受金具本体１０１を支持固定する支持片部１１２は、その前端１１２ａが、樋受金具本体１０１の外側略中央に位置付けされ、且つ、樋受金具本体１０１の略半分程度しか支持していなかった。
【０００７】
そのため、樋受金具本体１０１にかかる荷重に対して強度が不十分であり、特に樋受金具本体１０１の前側にかかる強度に対して弱いという問題があった。
【０００８】
また、支持片部１１２が樋受金具本体１０１の略半分位を外被すると共に、その前端１１２ａと樋受金具本体１０１との段差が外部に露出するため、デザイン化が進む樋受金具１００では、見栄えが悪いという問題もあった。
【０００９】
本発明は、かかる課題を解決することを目的とし、樋受金具本体１０１の支持強度を確実にし、しかも、樋受金具本体１０１を支持片部１１２で隠蔽してスッキリとしたデザインを提供できる樋受金具を提供する。
【００１０】
【課題を解決するための手段】
上記目的を達成するため、
請求項１に係る樋受金具は、樋を装着可能であって、樋の耳部を係止する樋耳掛止部を設けた樋受金具本体と、前方には上記樋受金具本体に固着する支持片部を備え、基端には壁面等に取付可能な取付部を設けた取付具と、から成る樋受金具において、上記取付具の支持片部は、樋受金具本体の湾曲に合わせて湾曲形成されると共に下方に突出する複数の連続する略波状の凸部を備え、樋受具本体の下側に重合すると共に樋受金具本体の外側の略全体を隠蔽した形状とし、かつ、樋受金具本体と支持片部とは２箇所以上を固着してなることを特徴とする。
【００１１】
請求項１では、取付具の支持片部が、樋受金具本体の外側の略全体を隠蔽して固着されているため、樋受金具本体から受ける荷重に対する強度を高めることができる。
【００１２】
また、樋受金具本体の前面にまで支持片部が固着されるので、樋受金具本体が外部に露出せず、スッキリとしたデザインを提供できる。
【００１４】
また、取付具の支持片部を略波状に形成しているため、樋受金具のデザイン化を容易に図ることができる。
【００１５】
【発明の実施の形態】
以下、本発明の樋受金具１を図面に基いて説明する。
【００１６】
図１は、本発明に係る樋受金具の参考例を示す使用状態図、図２は、図１の側面図及正面図である。
【００１７】
この樋受金具１は、樋Ｔを装着可能であって、樋Ｔの耳部Ｔ１を係止する樋耳掛止部２１を設けた樋受金具本体２と、前方には樋受金具本体２に固着する支持片部３１を備え、基端には壁面等に取付可能な取付部３２を設けた取付具３と、から構成している。
【００１８】
本参考例で示す樋受金具本体２は、樋Ｔの基端側の耳部Ｔ１を掛止する樋・後耳掛止部２１ａを基端に設け、樋Ｔの前端側の耳部Ｔ１を掛止する樋・前耳掛止部２１ｂを前端に設けた樋耳掛止部２１を形成している。
【００１９】
このような樋耳掛止部２１は、樋Ｔを掛止できるものであればよく、本実施例に限定されるものではない。
【００２０】
一方、樋受金具本体２と固定される取付具３は、前方には樋受金具本体２に固着する支持片部３１を備え、基端には壁面等に取付可能な取付部３２を設けている。
【００２１】
この支持片部３１は、樋受金具本体２の湾曲に合わせて湾曲形成され、樋受金具本体２の下側に重合すると共に、この樋受金具本体２の外側の略全体を隠蔽している。
【００２２】
また、樋受金具本体２と支持片部３１とは、スポット溶接又はリベット止め等によって、２箇所以上を固着している。
【００２３】
そのため、取付具３の支持片部３１は、樋受金具本体２から受ける荷重に対する強度を高めることができ、特に樋受金具本体２の前側にかかる強度に対しての強度を得ることができる。
【００２４】
また、支持片部３１は、樋受金具本体２の略全体を隠蔽して固着されるので、樋受金具本体２を見上げたときに下側外部から見え難く、一般に下側から見上げられる樋受金具１にスッキリとしたデザインを提供できる。
【００２５】
なお、取付具３の取付部３２は、これを壁等に固定できるものであれば採用でき、本実施例に限定されるものではない。
【００２６】
また、樋Ｔは、図示した半円状に限られず、角樋などであっても同様である。
【００２７】
このように構成した樋受金具１は、図１で示すように、取付具３の取付部３２を壁面等の適所に取付け、その前方の支持片部３１で支持する樋受金具本体２に樋Ｔを載置する。
【００２８】
そして、樋Ｔの前、後端に形成された耳部Ｔ１、Ｔ１を、樋受金具本体２の樋・前耳掛止部２１ｂ及び樋・後耳掛止部２１ａを内側に折り曲げるなどして各々を掛止し、樋Ｔを取付け固定するのである。
【００２９】
図３、図４は、本発明に係る樋受金具の実施例を示す側面図である。
【００３０】
ここで、図１、図２と共通する部位については、共通の符号を付して、その説明は省略している。
【００３１】
図３で示す樋受金具１は、取付具３の支持片部３１を波状に形成したものを示し、図４で示す樋受金具１は、取付具３の支持片部３１を花弁形の波状に形成したものを示している。
【００３２】
このようにデザイン化した支持片部３１を樋受金具本体２の外側の略全体に隠蔽して固着しても、上記同様に樋受金具本体２から受ける荷重に対する強度を高めることができると共に、樋受金具１のデザイン化を容易に図ることができる。
【００３３】
なお、図３、図４で示す支持片部３１のデザイン形状は例示であって、これ以外の幾何学的形状に形成することも可能である。
【００３４】
【発明の効果】
本発明によれば、次のような効果がある。
請求項１に係る樋受金具によれば、取付具の支持片部が、樋受金具本体の外側の略全体を隠蔽して固着されているため、樋受金具本体から受ける荷重に対する強度を高めることができる。
【００３５】
また、樋受金具本体の前面にまで支持片部が固着されるので、樋受金具本体を見上げたときでも外部に露出せず、スッキリとしたデザインを提供できる。
【００３６】
また、取付具の支持片部を略波状に形成しているため、請求項１の効果と共に、樋受金具のデザイン化を容易に図ることができる。
【図面の簡単な説明】
【図１】本発明に係る樋受金具の参考例を示す使用状態図
【図２】図１の側面図及正面図
【図３】本発明に係る樋受金具の一実施例（波状）を示す側面図
【図４】本発明に係る樋受金具の他の実施例（花弁状）を示す側面図
【図５】従来の樋受金具を示す使用状態図
【符号の説明】
Ｔ    樋
Ｔ１  耳部
１    樋受金具
２    樋受金具本体
２１  樋耳掛止部
３    取付具
３１  支持片部
３２  取付部
【図１】
0004503145.tif 000002
【図２】
0004503145.tif 000003
【図３】
0004503145.tif 000004
【図４】
0004503145.tif 000005
【図５】
0004503145.tif 000006